(57)【要約】非接触トランスポンダの入力信号を調整する方法が提供される。本方法では、振幅変調された入力信号の信号強度が目標値に調整され、復調器によって変調ギャップが認識される際に、調整増幅の調整が変調ギャップの前の時点に確定され、変調ギャップの終了が確認される際に、所定の間隔の後に調整が解除される。該所定の間隔は、信号の振幅が、変調ギャップの前の前記値に上昇するまで継続する。さらに、該所定の間隔は、２つの変調ギャップ間の最小間隔より小さい。
2005536965.tif 000002
【特許請求の範囲】
【請求項１】
非接触トランスポンダの入力信号を調整する方法であって、
振幅変調された入力信号の信号強度が目標値に調整され、復調器によって変調ギャップが認識される際に、調整増幅の調整が該変調ギャップの前の時点に確定され、変調ギャップの終了が確認される際に、所定の間隔の後に該調整が解除される、方法。
【請求項２】
前記所定の間隔は、前記信号の振幅が前記変調ギャップの前の前記値に上昇するまで継続する、請求項１に記載の方法。
【請求項３】
前記所定の間隔は、２つの前記変調ギャップ間の最小間隔より小さい、請求項２に記載の方法。
【発明の詳細な説明】
【技術分野】
【０００１】
本発明は、請求項１に従う、非接触トランスポンダの入力信号を調整する方法に関する。
【背景技術】
【０００２】
例えば、非接触チップカードあるいは非接触タグに使用される非接触トランスポンダにおいては、いわゆるＡＳＫ変調が頻繁に導入されている。これに関して、デジタル形状で存在するデータによって第１と第２のレベルとの間で変化しそれによって変調される高周波信号が知られている。
【０００３】
デジタルデータが、「イエス」と「ノー」との間、あるいは「１」と「０」との間、あるいは「ｈｉｇｈ」と「ｌｏｗ」との間において区別されるように、大きい振幅と小さい振幅との間において区別される。目下、２つの異なる変調方法、すなわちＡＳＫ１００およびＡＳＫ１０が慣用されている。その際、ＡＳＫ１００は１００％のレベル差を有し、ＡＳＫ１０は１０％のレベル差を有する。
【０００４】
ＡＳＫ変調の問題点は、送信機と受信機との間の距離の変化によって、送信される信号の同一の振幅による変調信号が、受信側において受信された振幅の変化をもたらすことにある。同様なことが、送信機と受信機との間の空間において、媒体が変化した場合にも該当する。この問題を回避するために、例えばＥＰ０３９８９４３Ｂ１に提示されているように、受信側において、いわゆる「分路調整器」が導入され、該分路調整器によって、復調の前に、入力信号の振幅が調整される。
【０００５】
この明細書に記載された構造の不都合点は、信号休止が存在する場合、例えば「ｈｉｇｈ」から「ｌｏｗ」への移行の後において、そのような調整器は、伝送される情報によって生成されたレベル差を取り去るように試みる。これを回避するために、少なくとも社内においては、「ｈｉｇｈ」から「ｌｏｗ」への信号移行の認識の後に、調整増幅（Ｒｅｇｅｌｖｅｒｓｔａｅｒｋｕｎｇ）を信号伝送の前において１つの値に固定することが取り入れられている。更新された信号伝送が「ｌｏｗ」から「ｈｉｇｈ」へ戻ったのが認識されるやいなや、調整増幅の固定は中止され、調整器は、制限されずにさらに動作する。
【０００６】
この処置は、「ｌｏｗ」／「ｈｉｇｈ」の移行の終了時において、調整増幅は、大きい振幅が得られるまで増強されるという不都合点をやはり有する。大きい振幅が得られるやいなや、調整増幅は、再び引き下げられる。しかしながら、そのような処置は、調整のオーバーシュートを容易に導く。そのようなオーバーシュートは、状態変動、すなわち、再び存在しない「ｈｉｇｈ」から「ｌｏｗ」への信号移行が、復調器によって認識されるという結果となる。そのような信号移行認識は、最終的に欠陥のあるデータをもたらす。
【発明の開示】
【発明が解決しようとする課題】
【０００７】
そのため、本発明の課題は、入力信号が、該信号が高い信頼性を伴って検出可能であるように、高い信頼性を伴って調整される、非接触トランスポンダの入力信号を調整する方法を提供することにある。
【課題を解決するための手段】
【０００８】
本課題は、本発明による請求項１に提示された処置によって解決される。
【０００９】
変調ギャップ（Ｍｏｄｕｌａｔｉｏｎｌｕｅｃｋｅ）の終了が認識された後に、変調ギャップ内において「固定された」調整が、所定の間隔の後に解除されることによって、調整が、「実際の値」として大きい振幅の基準値を用いて該調整を開始するということが、確保される。
【００１０】
本発明のさらなる有利な実施形態は、従属請求項に明示される。
【発明を実施するための最良の形態】
【００１１】
図１は、「ＡＳＫ」変調され、値に応じて表現された高周波入力信号を、象徴的形状で示す。ここで、振幅「ｈｉｇｈ」を有する高周波は、時刻ｔ１とｔ２との間において減少された振幅値「ｌｏｗ」に変調される。振幅が減少された振幅値「ｌｏｗ」を有する時刻ｔ１とｔ２との間の部分は、変調ギャップと呼ばれる。
【００１２】
図４に示された回路構成に従って、高周波信号が検出される。その際、信号が振幅「ｈｉｇｈ」を有する間、２つのコンデンサＣ１およびＣ２は充電される。振幅が「ｌｏｗ」に減少した場合、スイッチＳ１が開き、コンデンサＣ１およびＣ２は、各々割り当てられた電流源Ｅ１およびＥ２を介して放電される。その際、異なった時定数が提供される。コンデンサＣ１の電圧推移から、基準電圧Ｖｒｅｆが得られ、その際、決定量は、異なる分圧器を介して、信号Ｖｓｉｇｌｏｗおよび信号ＶｓｉｇｈｉｇｈとしてコンデンサＣ２の電圧推移から得られる。これらは、図２に示されるウィンドウ回路（Ｆｅｎｓｔｅｒｓｃｈａｌｔｕｎｇ）に供給される。このウィンドウ回路の機能は、図３に示される曲線経過によって説明される。
【００１３】
既に図１に関連して説明されたように、時刻ｔ１において、高電位から低電位へ信号が移行する。適切な分圧器の選定により、信号Ｖｓｉｇｈｉｇｈは基準値Ｖｒｅｆより大きく、信号Ｖｓｉｇｌｏｗは基準値Ｖｒｅｆより小さい。異なる時定数によって、Ｖｓｉｇｈｉｇｈの曲線は、時刻ｔ１´において基準値Ｖｒｅｆの曲線と交差し、それは、交点Ｓによって示される。この交点Ｓは、図２に示されるウィンドウ回路によって、低振幅の存在として出力Ａに提供される。対応して、時刻ｔ２における低振幅から高振幅への移行によって、信号Ｖｓｉｇｌｏｗと基準値Ｖｒｅｆとの間の交点Ｓ´が生じる。これは、同様に、高振幅状態の信号化によって出力Ａに示される。
【００１４】
図２によるウィンドウ回路に後続される、図４に示される復調回路が障害なく動作するために、回路構成のための供給電圧Ｖは、図５に示される調整回路によって調整される。電圧あるいはフィールド調整器４は、残りの回路構成を駆動する、所定値に確定された（ｆｅｓｔｇｅｌｅｇｔ）供給電圧Ｖを供給する。入力調整器１によって生成された調整値Ｉ´は、電圧調整器４のための調整値Ｉとして、所定の調整値との関係において、および復調器のどの変調レベルが確定されるかに依存して、調整制御器３から出力される。復調器２によって変調ギャップが確認される場合、調整制御器３によって、さらに、変調ギャップの前に存在する入力信号Ｉは、入力調整器１の出力値Ｉ´に依存することなく、再び電圧調整器４に供給される。変調が値「ｈｉｇｈ」に達した場合には、変調ギャップの終わりに、調整制御器３は、入力調整器１の出力値Ｉ´を、期間の経過の後に、入力信号Ｉとして、再び電圧調整器４に与える。
【００１５】
点Ｓ´における、すなわち低振幅から高振幅への移行が確認される場合における、調整増幅が開放された場合、これは、少なくとも、ＶｓｉｇｈｉｇｈおよびＶｓｉｇｌｏｗの曲線推移のアンダーシュート（Ｄｕｒｃｈｓｃｈｗｉｎｇｅｎ）の結果となる。調整器は、低振幅値によって、調整増幅を増加し、その結果、電圧は、端子ＬＡおよびＬＢにおいて、あるいはノードＹにおいて増加される。しかしながら、これは、必要な減少された調整時定数に基づく入力電圧の持続する増加によって、過剰な増加をもたらす。そのため、調整器は増幅を減少し、その結果、アンダーシュートが起こる。これは、再び、曲線Ｖｓｉｇｈｉｇｈと、信号Ｖｒｅｆのゆっくり増加する曲線との間の交点をもたらす。そのような、交点は、復調器の出力において、高振幅から低振幅への移行として認識され得るが、それは、実際には存在しない。
【００１６】
この理由から、調整制御器３によって、調整増幅は点Ｓ´を過ぎて固く保持され、後の時点において解除される。この時間間隔は、入力振幅の十分な増加が達成されるような長さである。しかしながら、調整増幅の点Ｓ´を過ぎた固定は、高振幅か低振幅への変更の前に、調整器が解除される限りにおいて行われる。
【００１７】
したがって、この時間間隔は、変調信号の最小周期に依存する。
【図面の簡単な説明】
【００１８】
【図１】典型的な入力信号を示す。
【図２】ウィンドウ検出器を示す。
【図３】典型的な検出信号の推移を示す。
【図４】通常の検出回路を示す。
【図５】調整回路を示す。
【符号の説明】
【００１９】
１  入力調整器
２  復調器
３  調整制御器
４  フィールド調整器
ＵＨＦ  入力信号
Ｖｓｉｇｈｉｇｈ  ｈｉｇｈ識別信号
Ｖｓｉｇｌｏｗ  ｌｏｗ識別信号
Ｖｒｅｆ  基準値
Ｉ  入力信号
Ｉ´  出力値
【図１】
2005536965.tif 000003
【図２】
2005536965.tif 000004
【図３】
2005536965.tif 000005
【図４】
2005536965.tif 000006
【図５】
2005536965.tif 000007
【国際調査報告】
2005536965.tif 000008
2005536965.tif 000009
2005536965.tif 000010
2005536965.tif 000011